(57)【特許請求の範囲】
【請求項１】
左右一対の脚と、これら脚の後部に取付けられる幕板と、脚の上面に固定される天板とを備え、これらを組立てることにより一体形となるデスク同士を並列状態に連結させるデスクの連結構造であって、前記脚の上端の天板受部に、所要の間隔を有して下方に垂設され相対向する垂直部分とこれらを結合する水平部分とで下向きのコ字形に形成されその水平部分に垂直ネジ孔を有する連結金具取付部を設け、各デスクの脚を並列させたとき隣り合う脚の前記連結金具取付部の隣接する垂直部分に跨がって嵌合する凹陥部と、この凹陥部の開口部外方に水平方向に延設された取付面を有する連結金具を設け、前記連結金具取付部の水平部分に連結金具の取付面をネジ止めすることにより両デスクが一体に連結されるようにしたことを特徴とするデスクの連結構造。
【請求項２】
前記隣合う脚の後部で上面に載置された天板と脚の後部に取付けられる幕板との間に形成された配線ダクト部分の端部に、水平部分に垂直ネジ孔を有する連結板取付部をそれぞれ設け、これら連結板取付部の上面に跨架してネジ止めすることにより両デスクの後方部を一体に結合してその上面に通線時に開口させるためのキャップ等を嵌脱自在に装着した請求項１記載のデスクの連結構造。
【発明の詳細な説明】
【０００１】
【発明の属する技術分野】
本発明は、組立が容易でコスト高にならず、レイアウトの変更も簡易に行え、かつ下肢空間も広く取れるようにしたデスクの連結構造に関する。
【０００２】
【従来の技術】
従来、オフィス等においてデスクを配置する場合、一般に単立型の完成体デスクを並列あるいは背中合わせにするケースが殆どである。これはデスク自体が単立であるためレイアウトの変更が簡易に行える点と、デスクの幅方向の両端にＬ形脚等が固定されるためデスクの各部材にそれ程の強度は必要とされず、比較的低コストで製造することが可能となり、現在でもデスクの主流となっている。
【０００３】
【発明が解決しようとする課題】
ところが上述した配置の場合、デスク自体が個々の単立型であるために長い間の使用中に知らず知らずに移動して隣同士のデスク間隔が広く空いたり、あるいは前後にずれが生じて不揃いとなることもある。
【０００４】
またデスク間で２つのＬ形脚同士が隣り合う形となると、独りで２個のデスクを使用する場合、Ｌ形脚下部の床設置部分が天板下での足の移動等の邪魔となるという欠点もあった。
【０００５】
このような不具合を解決する手段として例えば特開平８ー１８７１２８号公報に見られるように連結式デスクが使用される場合も多くなってきている。
しかしながらこれらの連結式デスクは下肢空間をフリーとするため天板を非常に強固に製造したり、連結杆とナット部材を天板内に挿入する等の構造であることからコスト高となるばかりでなく組立が複雑となり、簡単にはレイアウトの変更ができ難く、あるいは連結杆を使用するので様々なレイアウトに対応できないという問題が生じてきている。
【０００６】
本発明は上記従来の問題の対策として、単立型としての使用は勿論、連結する場合にも組立が容易に行えてコスト高にならず、レイアウトの変更が簡単に行え、様々なレイアウトにも対応でき、しかも下肢空間も広くとれるようにしたデスクの連結構造を提供することを課題とする。
【０００７】
【課題を解決するための手段】
上記課題を解決する手段として本発明は、左右一対の脚と、これら脚の後部に取付けられる幕板と、脚の上面に固定される天板とを備え、これらを組立てることにより一体形となるデスク同士を並列状態に連結させるデスクの連結構造であって、前記脚の上端の天板受部に、所要の間隔を有して下方に垂設され相対向する垂直部分とこれらを結合する水平部分とで下向きのコ字形に形成されその水平部分に垂直ネジ孔を有する連結金具取付部を設け、各デスクの脚を並列させたとき隣り合う脚の前記連結金具取付部の隣接する垂直部分に跨がって嵌合する凹陥部と、この凹陥部の開口部外方に水平方向に延設された取付面を有する連結金具を設け、前記連結金具取付部の水平部分に連結金具の取付面をネジ止めすることにより両デスクが一体に連結されるようにしたことにある。
【０００８】
これにより各デスクを並列させたい場合は、並列させた脚の天板受部に設けた連結金具取付部に連結金具を取付けることにより容易に一体化することができる。
【０００９】
逆に並列されて一体とされたデスクを別々にしたい場合は上述とは逆に連結金具を取り外せばよい。
【００１０】
また前記隣合う脚の後部で上面に載置された天板と脚の後部に取付けられる幕板との間に形成された配線ダクト部分の端部に、水平部分に垂直ネジ孔を有する連結板取付部をそれぞれ設け、これら連結板取付部の上面に跨架してネジ止めすることにより両デスクの後方部を一体に結合してその上面に通線時に開口させるためのキャップを嵌脱自在に装着することが好ましい。
【００１１】
これにより隣合う脚の後部の配線ダクト部分も連結板により一体に結合されるから両デスクは脚の前後で連結固定される。
【００１２】
【発明の実施の形態】
以下、本発明を図面に示す実施の形態を参照して説明する。
【００１３】
図１は本発明に適用される１個のデスク１の構成部品を分解して示す斜視図で、左脚２Ａ、右脚２Ｂ、これら脚の後部に取付けられる幕板３、左脚２Ａ、および右脚２Ｂの上面に固定される天板４、および左脚２Ａと右脚２Ｂの両方の後部と幕板３との間に設けられる配線ダクト５（図示では天板４の後部とキャップ６ａの隙間の部分）からなり、天板４の後部には配線ダクト５の上部をカバーする化粧板６ａやキャップ６ｂが設けられている。
【００１４】
左脚２Ａと右脚２Ｂの幕板３に対する取付け構造は、両脚の奥端面に垂直に取付けられた断面コ字形の部材２ｄ，２ｄが幕板３の両端に垂直に取付けられた脚側よりも一回り大きい断面コの字形の垂直部材３ａ，３ａ内に重ね合わされるように嵌合して、この両部材を締付部材により固着することにより一体に固定されるようになっている。
【００１５】
脚２Ａ，２Ｂは共に上部に天板受部２ａ、下部に接地部２ｂが設けられており、天板受け部２ａと接地部２ｂの間は適宜高さの側壁部２ｃとされている。
【００１６】
ここで脚２Ａと脚２Ｂの相違点は接地部２ｂ（長い方を２ｂ1 、短い方を２ｂ2 として区別する）の長さが脚２Ａは長く、脚２Ｂは脚２Ａよりも短かくしてある。そこで両デスクを連結する際の並列時には脚２Ｂを使用し、並列しない側には脚２Ａを使用してデスクを安定させるようにしてある。
【００１７】
図２は脚に使用される接地部２ｂを区別したもので、（Ａ）は同じ天板受け部２ａに連結された側壁部２ｃの下に接地部２ｂ2 をネジ７により連結して脚２Ｂとしたもの、（Ｂ）は同じ天板受け部２ａに連結された側壁部２ｃの下に接地部２ｂ1 をネジ７により連結して脚２Ａとしたもので、デスク１同士の連結には一般に脚２Ｂを並列させるが、要望により脚２Ａを並列させるようにすることもできる。
【００１８】
図３（Ａ）は２個のデスクを並列に連結する場合において脚２Ｂ、２Ｂを並列させたものを示し、この脚２Ｂ、２Ｂの天板受部２ａには前後方向に連結金具取付部８，８がそれぞれ設けられている。この連結金具取付部８の位置と形状は図３（Ａ）に示す斜視図では天板受部２ａの側面の存在により見えないが、この図では特に側面２ａの一部を取外して外側にずらして見えるようにしてあり、この部分に本発明にかかる連結金具９が取付けられるようになっている。
【００１９】
一方前記隣合う脚２Ｂ、２Ｂの後部で上面に載置された天板４と脚２Ｂの後部に取付けられる幕板３との間に形成された配線ダクト５部分の端部には連結板取付部１０，１０がそれぞれ設けられている。
【００２０】
図３（Ｂ）は図３（Ａ）に天板４を並列させて取付けた状態の斜視図で、連結板取付部１０，１０の上面には連結板１１を跨架してネジ１２によりネジ止めすることにより両デスク１，１の後方部を一体に結合するようになっており、その上面には通線時に開口させるためのキャップ６ｂや化粧板６ａが嵌脱自在に装着されている。
【００２１】
図４（Ａ）は図３（Ａ）のＡ−Ａ断面の詳細を示すもので、前記脚２Ｂの上端の天板受部２ａの枠内に、所要の間隔を有して下方に垂設され相対向する垂直部分８ａ，８ａとこれらを結合する水平部分８ｂとを有する下向きのコ字形（図ではＨ形）をした連結金具取付部８が形成されており、この水平部分８ｂには垂直ネジ孔８ｃが設けられている。
【００２２】
そして各デスク１，１を脚２Ｂ，２Ｂを並列させたとき隣り合う脚２Ｂ，２Ｂの前記連結金具取付部８，８には、隣接する垂直部分８ａ，８ａに跨がって嵌合する凹陥部９ａと、この凹陥部９ａの開口部各外方に水平方向に延設された取付面９ｂ，９ｂを有する連結金具９を取付け、連結金具取付部８の水平部分８ｂに連結金具９の取付面９ｂを接触させてネジ１２によりネジ止めすることにより図４（Ｂ）に示すように連結金具取付部８と連結金具９が一体となり、両デスク１，１が連結されるようになっている。
【００２３】
図５（Ａ）は図３（Ａ）を矢印のＢ方向から見た連結板取付部１０の平面図を示し、図５（Ｂ）は連結板取付部１０の上面に連結板１１を跨架してネジ１２により締付けた状態を示した平面図である。
【００２４】
図６は図３（Ｂ）を矢印のＣ方向から見た天板４と天板受部２ａ、および配線ダクト５部分を示す側面図で、（Ａ）は連結金具取付部８に連結金具９を、また連結板取付部１０に連結板１１を取付ける前の状態、（Ｂ）は連結金具取付部８には連結金具９を、また連結板取付部１０には連結板１１をそれぞれ取付けた状態を示す。ここで天板４と脚２Ａ，２Ｂとは脚２Ａ，２Ｂ側に設けられた取付孔１３へ天板４側へ上向きにビス等の締付部材を通すことにより一体に固定される。
【００２５】
図７は本発明による連結構造を同一種類のデスク１，１同士の連結に用いた場合の一例を示すもので（Ａ）は斜視図、（Ｂ）は平面図である。
【００２６】
この例の場合、連結部となる脚同士は２Ｂ，２Ｂとし、独りでデスク１，１を使用する際に左右に椅子を移動させても接地部２ｂ2 が使用者の足先に接触することが少なく、また反対側の脚はそれぞれ接地部２ｂ1 ，２ｂ1 の脚２Ａ，２Ａとしてあるからデスク１，１を両端で安定させることができる。
【００２７】
図８は本発明による連結構造を形の異なるデスク１Ａ（コーナ用）を間にした同一種類のデスク１，１の３個を連結した場合の一例を示すもので、（Ａ）は斜視図、（Ｂ）は平面図である。
【００２８】
この例の場合も、互いの連結部となる脚同士は２Ｂ，２Ｂとしたから独りで３個のデスク１，１Ａ，１を使用する際に直角方向に椅子を移動させても接地部２ｂ2 が使用者の足先に接触することが少なく、また両端側の脚はそれぞれ２Ａ，２Ａとしたから連結されたデスク１，１Ａ，１を両端で安定させることができる。
【００２９】
以上説明したようにデスク１，１を並列に連結する場合は脚２Ｂの天板受け部２ａに設けた連結金具取付部８には連結金具９を、また脚２Ｂの天板受け部２ａ後部の配線ダクト５部分に設けた連結板取付部１０に連結板１１を取付けることで容易に連結が可能であり、逆に連結を解除する場合は連結金具取付部８から連結金具９を、また配線ダクト５部分の連結板取付部１０から連結板１１を外すことにより行える。
【００３０】
なお天板受け部に設けた連結金具取付部８の断面形状を図面の略Ｈ形としたものを示したが、強度上問題がなければ必ずしも高強度のＨ形でなくてもよい。
【００３１】
【発明の効果】
本発明は以上説明したように構成したからつぎのような効果が得られる。
１）デスク同士の連結および連結解除は脚上面の天板受け部に設けた連結金具取付部と連結金具の取付けおよび取外しだけの作業により天板受け部分で容易に行える。また連結に際してネジ部や金具の切断面を天板受け部内に収納するようにしたから外観上見栄えが向上し、ネジ部や金具の切断面で足や衣服を傷付ける恐れがない。
【００３２】
２）同時に脚の上面の後部の配線ダクト部分についても連結および連結解除は連結板取付部と連結板の取付けおよび取外しだけの作業によりが容易に行える。
【００３３】
３）デスク同士の連結において連結される側の脚同士を接地部の長さの短い方を使用するようにすれば連結されたデスクを使用する際に椅子を移動しても使用者の足先が脚に接触して邪魔となる不具合はなくなり、またこの部分に引出し等を設ける場合は天板下幅一杯にわたり設置が可能となる。
【図面の簡単な説明】
【図１】本発明のデスク連結構造が適用されるデスクの構成部品の分解斜視図。
【図２】図１の脚の接地部を分解した状態を示し、（Ａ）は連結用、（Ｂ）は非連結用の各斜視図。
【図３】本発明のデスクを並列に連結する場合の脚部の取付け詳細を示し、（Ａ）は天板取付け前の状態の斜視図、（Ｂ）は天板取付け後の状態の斜視図。
【図４】図３（Ａ）のＡ−Ａ断面に示される連結金具取付部とこれに取付けられる連結金具を示し、（Ａ）は取付け前の断面図、（Ｂ）は取付け後の断面図。
【図５】図３（Ａ）を矢印のＢ方向から見た連結板取付部部分を示し、（Ａ）は連結板取付前、（Ｂ）は連結板取付後の平面図。
【図６】図３（Ｂ）を矢印のＣ方向から見た天板と天板受部、および配線ダクト部分を示し、（Ａ）は連結金具取付部に連結金具を、また連結板取付部に連結板を取付ける前の状態の側面図、（Ｂ）は連結金具取付部には連結金具を、また連結板取付部には連結板を取付けた後の状態の側面図。
【図７】本発明のデスク連結構造により並列に連結されたデスクを示し、（Ａ）は斜視図、（Ｂ）は平面図。
【図８】本発明のデスク連結構造によりコーナ用のデスクの両側に連結されたデスクを示し、（Ａ）は斜視図、（Ｂ）は平面図。
【符号の説明】
１  デスク
２Ａ，２Ｂ  脚
２ａ  天板受部
３  幕板
４  天板
５  配線ダクト
６ａ  化粧板
６ｂ  キャップ
８  連結金具取付部
８ａ  垂直部分
８ｂ  水平部分
８ｃ  垂直ネジ孔
９  連結金具
９ａ  凹陥部
９ｂ  取付面
１０  連結板取付部
１１  連結板
１２  ネジ
【図１】
0004130284.tif 000002
【図２】
0004130284.tif 000003
【図３】
0004130284.tif 000004
【図４】
0004130284.tif 000005
【図５】
0004130284.tif 000006
【図６】
0004130284.tif 000007
【図７】
0004130284.tif 000008
【図８】
0004130284.tif 000009